(57)【要約】【課題】不正の蓋然性が高い操作を撮像した画像データを効率的に確認することができる。【解決手段】バーコードスキャナ１７は買上商品の識別情報を読み取る。検知センサ２１は、買上商品の読み取り操作、あるいは読み取り操作がされた買上商品が所定場所に載置もしくは読み取り操作がされる前の買上商品が所定場所から取り出される操作を検知する。カメラはセルフレジスタ装置の近傍で、買上商品の登録処理操作を撮像する。記憶部は、少なくとも検知センサ２１により検知された商品の読み取りが行われない場合、その際にカメラにて撮像された画像データを抽出可能に記憶する。読み出し部は、記憶部に記憶された前記画像データを読み出す。表示部は、読み出し部が読み出した画像データを表示する。【選択図】図２
2010039545.tif 000002
【特許請求の範囲】
【請求項１】
買上商品を登録する商品登録装置を備えたＰＯＳシステムにおいて、
前記買上商品の識別情報を読み取る識別情報読取部と、
前記買上商品の読み取り操作、あるいは該読み取り操作がされた買上商品が所定場所に載置もしくは該読み取り操作がされる前の買上商品が所定場所から取り出される操作を検知する検知部と、
前記商品登録装置の近傍で、前記買上商品の登録処理操作を撮像する撮像部と、
少なくとも前記検知部により検知された商品の読み取りが行われない場合、その際に前記撮像部にて撮像された画像データを抽出可能に記憶する記憶部と、
該記憶部に記憶された前記画像データを読み出す読み出し部と、
前記読み出し部が読み出した前記画像データを表示する表示部と、
を備えたことを特徴とするＰＯＳシステム。
【請求項２】
前記識別情報読取部はバーコードリーダであり、
前記検知部は、前記買上商品の読み取り操作を検知し、該検知部は前記バーコードリーダ近傍に設けられた
ことを特徴とする請求項１に記載のＰＯＳシステム。
【請求項３】
前記商品登録を行った商品が投入される買い物袋を広げて掛止する掛止部
を備え、
前記検知部は、前記買上商品が所定場所に載置される操作を検知し、該検知部は前記掛止部に設けられ、前記掛止部に掛けられた買い物袋の開口部に前記商品が位置したときに前記検知を行う
ことを特徴とする請求項１に記載のＰＯＳシステム。
【請求項４】
前記検知部は、前記買上商品を所定場所に載置もしくは取り出す操作を検知し、前記商品登録を行う前の商品が載置される位置に配置された計量手段から出力される重量値、または前記商品登録を行った後の商品が載置される位置に配置された計量手段から出力される重量値の変化に基づいて前記検知を行う
ことを特徴とする請求項１に記載のＰＯＳシステム。
【請求項５】
買上商品の登録情報を、取引毎に識別して記憶する買上情報記憶部
を備え、
前記読み出し部は、前記画像データを前記表示部が表示する際、当該画像データを撮像した取引における前記登録情報を前記買上情報記憶部から読み出し、
前記表示部は、前記読み出し部が読み出した前記画像データと前記登録データとを表示する
ことを特徴とする請求項１から請求項４のいずれか１項に記載のＰＯＳシステム。
【発明の詳細な説明】
【技術分野】
【０００１】
本発明は、買上商品の登録を行うＰＯＳシステムに関する。
【背景技術】
【０００２】
スーパーマーケット等の小売店では、客が買い上げる商品の登録・精算にＰＯＳ（Ｐｏｉｎｔ  ｏｆ  Ｓａｌｅｓ）レジスタなどの装置（いわゆるレジ）が使用されている。このＰＯＳレジスタにおける登録操作の画像を撮像し、その画像の確認方法として以下の方法が知られている。
【０００３】
はじめに、ＰＯＳレジスタ近傍を撮像した画像を録画し、録画した画像データと商品の登録を行った際のレシート番号とを関連付けて記憶する。その後、レシート番号の入力を受け付け、レシート番号と関連づいている画像データを表示する（例えば、特許文献１参照）。
【特許文献１】特開２００６−４８４６６号公報
【発明の開示】
【発明が解決しようとする課題】
【０００４】
特許文献１に示されている技術では、レシート番号を特定することで、その商品登録の操作を撮像した画像データを確認することができる。しかしながら、登録操作を撮像した画像データのうち、不正の蓋然性が高い操作を撮像した画像データを確認したい場合、録画した全ての画像データを確認しなければならない。そのため、不正の蓋然性が高い操作を撮像した画像データを効率的に確認することができないという問題があった。
【０００５】
本発明は上記の点に鑑みてなされたものであり、不正の蓋然性が高い操作を撮像した画像データを効率的に確認することができるＰＯＳシステムを提供することを目的とする。
【課題を解決するための手段】
【０００６】
本発明は、買上商品を登録する商品登録装置を備えたＰＯＳシステムにおいて、前記買上商品の識別情報を読み取る識別情報読取部と、前記買上商品の読み取り操作、あるいは該読み取り操作がされた買上商品が所定場所に載置もしくは該読み取り操作がされる前の買上商品が所定場所から取り出される操作を検知する検知部と、前記商品登録装置の近傍で、前記買上商品の登録処理操作を撮像する撮像部と、少なくとも前記検知部により検知された商品の読み取りが行われない場合、その際に前記撮像部にて撮像された画像データを抽出可能に記憶する記憶部と、該記憶部に記憶された前記画像データを読み出す読み出し部と、前記読み出し部が読み出した前記画像データを表示する表示部と、を備えたことを特徴とするＰＯＳシステムである。
【０００７】
これにより、読み取り操作が行われたことは検知されたが、商品の識別情報が読み取られていない操作を撮像した画像を効率的に確認することができる。例えば、商品に付されている識別情報が読み取られないように意図的に識別情報を隠して読み取り操作を行う、あるいは、識別情報が読み取り部と面しないように商品の向きを買えて読み取り操作を行うなど、不正の蓋然性が高い操作を撮像した画像データを抽出可能に記憶することで、効率的に不正の蓋然性が高い操作を撮像した画像を確認することができる。
【０００８】
また、本発明のＰＯＳシステムにおいて、前記識別情報読取部はバーコードリーダであり、前記検知部は、前記買上商品の読み取り操作を検知し、該検知部は前記バーコードリーダ近傍に設けられたことを特徴とする。
【０００９】
これにより、バーコードリーダ近傍に検知部があるので、バーコードリーダを用いて買上商品を登録する操作を行うと、必ず検知部にて検知されるようになるので、登録操作をするふり等をした場合においても、その操作を確実に検知することができる。
【００１０】
また、本発明は、前記商品登録を行った商品が投入される買い物袋を広げて掛止する掛止部を備え、前記検知部は、前記買上商品が所定場所に載置される操作を検知し、該検知部は前記掛止部に設けられ、前記掛止部に掛けられた買い物袋の開口部に前記商品が位置したときに前記検知を行うことを特徴とするＰＯＳシステムである。
【００１１】
これにより、登録済み商品が必ず投入される買い物袋の開口部に商品が位置したことを検知することができる。よって、買い物袋に商品が入ったことを確実に検知することができるようになるので、商品登録されているべき商品に関する検知情報を確実に得ることができる。
【００１２】
また、本発明のＰＯＳシステムにおいて、前記検知部は、前記買上商品を所定場所に載置もしくは取り出す操作を検知し、前記商品登録を行う前の商品が載置される位置に配置された計量手段から出力される重量値、または前記商品登録を行った後の商品が載置される位置に配置された計量手段から出力される重量値の変化に基づいて前記検知を行うことを特徴とする。
【００１３】
これにより、商品登録前の商品が載置される場所から商品登録のために商品が取り出される操作、あるいは商品登録後の商品が所定の場所に載置される操作を検知することができるため、商品登録されているべき商品に関する検知情報を確実に得ることができる。
【００１４】
また、本発明は、買上商品の登録情報を、取引毎に識別して記憶する買上情報記憶部を備え、前記読み出し部は、前記画像データを前記表示部が表示する際、当該画像データを撮像した取引における前記登録情報を前記買上情報記憶部から読み出し、前記表示部は、前記読み出し部が読み出した前記画像データと前記登録データとを表示することを特徴とするＰＯＳシステムである。
【００１５】
これにより、不正の蓋然性が高い操作を撮像した画像とともに登録情報を表示することができるため、より確実に、正しく買上商品の登録がされたか否か確認することができる。
【発明の効果】
【００１６】
本発明によれば、検知部により検知はされたが、商品識別情報は読み取られていないという操作を撮像した画像データを抽出可能に記憶することで、効率的に、不正の蓋然性が高い操作を撮像した画像データを確認することができる。
【発明を実施するための最良の形態】
【００１７】
（第１の実施形態）
以下、図面を参照しながら本発明の第１の実施形態について説明する。図１は、本発明の第１の実施形態におけるＰＯＳシステムの構成を示した図である。図２は、本発明の第１の実施形態におけるセルフレジスタ装置１とカメラ２の外観を示した図である。図３は、本実施形態におけるセルフレジスタ装置１の電気ブロック図を示した図である。
【００１８】
図１に示す通り、ＰＯＳシステムは、セルフレジスタ装置１と、カメラ２（撮像部）と、管理装置３とを備える。セルフレジスタ装置１と、カメラ２と、管理装置３とはＬＡＮ（Ｌｏｃａｌ  Ａｒｅａ  Ｎｅｔｗｏｒｋ、構内通信網）等により接続されており、互いに通信が可能である。
【００１９】
セルフレジスタ装置１は、顧客自身が買上商品の登録を行う装置であり、ＣＰＵ（Ｃｅｎｔｒａｌ  Ｐｒｏｃｅｓｓｉｎｇ  Ｕｎｉｔ、中央処理装置）１０（判断部、抽出部、読み出し部）と、ハードディスク部１１（記憶部、画像記憶部）と、ＲＡＭ（Ｒａｎｄｏｍ  Ａｃｃｅｓｓ  Ｍｅｍｏｒｙ、ランダムアクセスメモリ）１２と、表示部１３と、スピーカ部１５と、レシート印字部１６と、バーコードスキャナ１７と、電子マネーリーダライタ１８と、通信部１９と、カメラ接続部２０と、検知センサ２１と、時計部２２とを備える。なお、表示部１３と、スピーカ部１５と、レシート印字部１６と、バーコードスキャナ１７（識別情報読取部、バーコードリーダ）と、電子マネーリーダライタ１８と、検知センサ２１（検知部）とは、セルフレジスタ装置１の外観に現れている。
【００２０】
カメラ２は、顧客によるバーコードスキャナ１７での商品のスキャン操作を含む商品登録操作を撮像する。また、商品登録前の商品が入った買い物かごから商品を取り出し、スキャン操作し、商品登録後の商品を所定の場所へ置く運用の場合は、その一連の操作が撮像される。管理装置３は、通常のＰＣ（Ｐｅｒｓｏｎａｌ  Ｃｏｍｐｕｔｅｒ、パーソナルコンピュータ）と同等のハードウェア構成であり、ＣＰＵと、記憶部と、タッチパネルである表示部とを備えている。この管理装置３の記憶部には、カメラ２で撮像された画像データや、画像ファイルや、セルフレジスタ装置１から送信される実績ファイルや、商品ファイルなどが記憶されている。なお、商品ファイルについては日々商品の価格の変動等があった場合に、商品ファイル中の変更のあったデータが管理装置３からセルフレジスタ装置１に送信される。
【００２１】
次に、図３を参照して、セルフレジスタ装置１が備える各部の説明を行う。ＣＰＵ１０は、各種演算を実行し、演算結果に基づいてセルフレジスタ装置１の各部を制御する。ハードディスク部１１は、読み書き可能な大容量の記憶装置である。また、ハードディスク部１１は、セルフレジスタ装置１の各機能を実現するためのプログラムや、管理装置３から送信される商品ファイルや、買上実績ファイルなどを記憶する。
【００２２】
ＲＡＭ１２は読み書き可能な記憶装置である。また、ＲＡＭ１２は、ハードディスク部１１からＣＰＵ１０によって読み出されたデータ等、ＣＰＵ１０が処理を行う上で利用する各種データや、商品登録中のデータ等を記憶する。
【００２３】
表示部１３は、液晶ディスプレイ等の画像表示装置を用いて構成され、本実施形態でのセルフレジスタ装置１の操作者である顧客と対面する位置に設けられている。また、表示部１３の表面には、タッチパネルが積層されている。スピーカ部１５は、スキャナ部１７でバーコードが正常に読み込まれた際に、その旨を伝える効果音を発する。
【００２４】
レシート印字部１６は、買い物後の明細を印字する印字機能を有する。レシート印字部１６は、ＣＰＵ１０の指示に従い、所定のレシート用紙上に購入商品の明細を印字する。レシート印字部１６は、インクを使用して印字を行っても良いし、感熱紙を利用するなどインクを使用しない方法によって印字を行っても良い。
【００２５】
バーコードスキャナ１７は、商品に付されているバーコードを読み取る。バーコードスキャナ１７は、バーコードを読み取ると、読み取ったデータを復号化し、ＣＰＵ１０へ送信する。
【００２６】
電子マネーリーダライタ１８は、近距離（通信可能な距離）に位置する電子マネー記録媒体から残高金額を読み出す。また、電子マネーリーダライタ１８は、電子マネー記録媒体に対し、ＣＰＵ１０によって新たに算出された残高金額を書き込む。電子マネー記録媒体は、電子マネーとしての残高金額のデータを記憶するＩＣチップを内部に有するＩＣカードや携帯電話端末等である。通信部１９は、管理装置３と通信を行う。カメラ接続部２０はカメラ２と通信を行う。
【００２７】
検知センサ２１は、例えば、光電センサである。具体的には、検知センサ２１は投光部と受光部とを備え、可視光線または赤外線などの光を投光部から受光部に対して信号光として発射し、物体によって遮光される光量の変化を受光部で検出し、検知範囲を物体が通過したか否かを検出する。なお、検知センサ２１は、物体により反射される光を検出して検知範囲を物体が通過したか否かを検出する反射型の光電センサであってもよい。
【００２８】
本実施形態では、バーコードスキャナ１７は、セルフレジスタ装置１が載置されているカウンタ台に固定されている。また、バーコードスキャナ１７の近傍に検知センサ２１が設置されている。具体的には、バーコードスキャナ１７がバーコードを読み取ることができる範囲に買上商品を移動させた場合、この買上商品を検知することができる位置に検知センサ２１が設置されている。これにより、バーコードスキャナ１７に商品が近づく、すなわち買上商品を登録する操作を検知センサ２１は検知することができる。また、図２では一組の検知センサ２１がバーコードスキャナ１７の隣に配置されているが、複数組の検知センサ２１をバーコードスキャナ１７の隣に配置させるようにしてもよく、また、あーコードスキャナ１７の周りを囲うように検知センサ２１を配置させるようにしてもよい。
【００２９】
例えば、バーコードスキャナ１７に買上商品を近づけるが、買上商品に付されたバーコードの面を意図的にスキャナ光へ向けていない場合や、バーコードを指などで隠す場合など、バーコードの読み取りは行われていないが読み取り操作を行っているように思われる操作を、検知センサ２１とバーコードスキャナ１７との動作により判断することができる。具体的には、検知センサ２１が買上商品自体や操作者の手などを検知するが、バーコードスキャナ１７がバーコードを読み取っていない場合、実際にはバーコードの読み取りは行われていないが離れた位置にいる店員等からは読み取り操作を行っているように思われる操作を判別することができる。
【００３０】
次に、本実施形態におけるハードディスク部１１が記憶する商品ファイルについて図４を参照して説明する。商品ファイルは、商品コードごとに品名と価格とを関連付けたデータである。なお、商品ファイルは、品名や価格以外の情報を記憶してもよい。
【００３１】
図４は本実施形態における商品ファイルのデータ構造を示した概略図である。この商品ファイルは、商品コードと、品名と、価格との属性を有する。商品コードは商品を一意に決める番号である。品名は商品の名前である。価格は商品の価格である。図示する例では、商品コードが「１１１１１１」の商品の品名は「ＡＡＡ」であり、価格は「１００」である（行３０１）。また、商品コードが「１１１１１２」の商品の品名は「ＢＢＢ」であり、価格は「２００」である（行３０２）。他の商品コードについては図示する通りである。
【００３２】
次に、本実施形態におけるＲＡＭ１２が記憶する一取引中の登録されたデータを記憶する登録データについて図５を参照して説明する。登録データは、前記のように一取引中で登録されたデータであり、後述の表示部１３に表示される「買い物スタート」キーが押されると、以前の取引Ｎｏに「１」が加算された新たな取引Ｎｏが生成され、以後その取引中に登録された商品の商品コードと、時計部２２から読み出された日時データと、検知データと、個数等とを関連付けたデータを順次記憶していく。
【００３３】
商品コードはバーコードスキャナ１７で読み込まれた商品コードが記憶され、個数はバーコードスキャナ１７で読み込まれると自動的に１が記憶される。また、不図示の数字キーで個数が入力されると、その入力された個数が記憶される。日時データは検知データに「１」が設定されたときに、時計部２２から読み出される日にちと時間を記憶する。通常、商品登録の際に商品に付されているバーコードをかざすと、ほぼ同時に検知センサ２１に検知されるので、日時データはバーコードが読み込まれた日時と同視できる。
【００３４】
検知データは、検知センサ２１が買上商品を登録する操作を検知したか否かを示すデータである。買上商品を登録する行為を検知した場合、検知データには「１」が設定される。
【００３５】
図示する例では、取引Ｎｏは「０００１」に関連付けられて、商品コードが「１１１１１１」〜「１１１１１５」までが登録されており、商品コード「１１１１１１」に対しては、検知データが「１」で、個数が「１」で、日時データが「２００８０７０１１２１１」（２００８年７月１日１２時１１分に検知センサ２１が検知したことを意味する）である情報が記憶されている（行４０１）。また、商品コード「１１１１１２」に対しては、検知データが「１」で、個数が「１」で、日時データが「２００８０７０１１２１１」である情報が記憶されている（行４０２）。行４０３〜行４０５は図示する通りである。なお、行４０６は、検知データと、日時データのみが記憶されている。これは、検知センサ２１は商品を検知したが、バーコードスキャナ１７ではバーコードが読み取られていないことを示す。
【００３６】
そして、後述するお会計キーが押下されるなど、取引の締め操作の実行が指示されると、このＲＡＭ１２に記憶された登録データに基づいて合計金額を算出し、預かり金額により釣銭金額を算出し精算する。そして、釣銭金額が算出されると、ＲＡＭ１２に記憶されていた登録データが、後述のハードディスク部１１が記憶する買上実績ファイルへ移行され、登録データがハードディスク部１１に記憶された後、ＲＡＭ１２に記憶されていた登録データのうち取引Ｎｏ以外の情報がクリアされる。そして、次の「お買い物」キーが押下されると、取引Ｎｏに「１」加算される。
【００３７】
次に、本実施形態におけるハードディスク部１１が記憶する買上実績ファイルについて図６を参照して説明する。買上実績ファイルは、買上商品登録処理で登録された情報を永続的に記憶するファイルであり、取引Ｎｏごとに商品コードと、検知データが設定されたときの日時データと、検知データと、個数とを記憶する。また、取引合計金額と、預かり金額と、釣銭額とをあわせて記憶してもよい。
【００３８】
図示する例では、取引Ｎｏが「０００１」〜「０００３」の情報について記憶されている。例えば、取引Ｎｏが「０００１」については、行５０１〜行５０６に示された情報が記憶されている。他の取引Ｎｏについては図示する通りである。
【００３９】
例えば、取引Ｎｏが「０００１」で特定される買上商品登録処理では、商品コードが「１１１１１１」〜「１１１１１５」までが登録されており、商品コードが「１１１１１１」に対しては、日時データが「２００８０７０１１２１１」で、検知データが「１」で、個数が「１」である情報が記憶されている（行５０１）。また、商品コードが「１１１１１２」に対しては、日時データが「２００８０７０１１２１１」で、検知データが「１」で、個数が「１」である情報が記憶されている（行５０２）。他の行については図示する通りである。なお、行５０６は、検知データと日時データのみが記憶されている。これは、検知センサ２１は商品を検知したが、バーコードスキャナ１７ではバーコードが読み取られていないことを示す。
【００４０】
次に、本実施形態における管理装置３の記憶部が記憶する画像ファイルについて図７を参照して説明する。この画像ファイルは、取引Ｎｏ毎に、画像データと、開始日時と、終了日時との属性を有する。画像データは買上商品登録処理の操作を撮像した画像データである。開始日時は画像の撮像を開始した日付および時間を示す。終了日時は画像の撮像を終了した日付および時間を示す。なお、カメラ２が撮像を開始するタイミングと終了するタイミングについては後述する。
【００４１】
図示する例では、取引Ｎｏ「０００１」で特定される買上商品登録処理の操作を撮像した画像データは「○○○○．ｍｐｇ」であり、開始日時は「２００８．０７．０１．１２：１０」であり、終了日時は「２００８．０７．０１．１２：１４」である（行６０１）。他の取引Ｎｏで特定される買上商品登録処理の操作を撮像した画像データと、開始日時と、終了日時とについては図示するとおりである。
【００４２】
次に、第１の実施形態における買上商品登録処理の手順について図８を参照して説明する。図８は第１の実施形態における買上商品登録処理の手順を示したフローチャートである。
【００４３】
（ステップＳ１０１）顧客は、買上商品登録処理を開始する場合、電子マネーを電子マネーリーダライタ１８に載置し、表示部１３が表示する、図８に示す「買い物スタート」キー８０を押下する。ＣＰＵ１０は、表示部１３が表示する「買い物スタート」キー８０が押下されたか否か判断する。「買い物スタート」キー８０が押下されたと判断した場合（ＹＥＳの場合）はステップＳ１０２に進み、それ以外（ＮＯの場合）はステップＳ１０１の処理を再度行う。
図９はステップＳ１０１において、表示部１３が表示する画面を示した図である。図示する例では、画面中央に「買い物スタート」キー８０が表示されている。
【００４４】
（ステップＳ１０２）ＣＰＵ１０は、カメラ接続部２０を介してカメラ２に撮像開始信号を送信する。そして、カメラ２は、バーコードスキャナ１７での読み取り操作がわかる範囲の撮像を開始し、ネットワークを介して、撮像した画像データを管理装置３の記憶部に送信する。管理装置３は、送信された画像データを記憶部に記憶（録画）する。なお、カメラ２での録画中はカメラ２の記憶部にて画像データを記憶し、撮像を終了した時点で管理装置３の記憶部に画像データを送信するようにしてもよい。その後、ステップＳ１０３に進む。
【００４５】
（ステップＳ１０３）ＣＰＵ１０は、一取引中に登録されたデータを記憶するＲＡＭ１２が記憶する登録データの取引Ｎｏを１つカウントアップする。また、ＣＰＵ１０は、ステップＳ１０１で電子マネーリーダライタ１８に載置された電子マネーの残高を読み取り、残高を表示部１３に表示させる。その後、ステップＳ１０４に進む。
【００４６】
（ステップＳ１０４）顧客により、買上商品に付されたバーコードをバーコードスキャナ１７に読み取らせる操作が行われ、これにより、検知センサ２１は商品の一部を検知することで読み取り操作が行われたことを検知し、検知データ「１」を出力する。ＣＰＵ１０は、登録データの最初の行の検知データの欄に「１」を記憶させる。その後、ステップＳ１０５に進む。
【００４７】
なお、図１０はステップＳ１０４において、表示部１３が表示する画面を示した図である。図示する例では、バーコードリーダ１７にバーコードを近づけることを顧客に指示する文字「バーコードを近づけてください」９０が表示されている。
【００４８】
（ステップＳ１０５）ＣＰＵ１０は、ステップＳ１０４でバーコードスキャナ１７がバーコードを読み取ったか否か判断する。バーコードスキャナ１７がバーコードを読み取ったと判断した場合（ＹＥＳの場合）はステップＳ１０６に進み、それ以外（ＮＯの場合）はステップＳ１０７に進む。
【００４９】
（ステップＳ１０６）バーコードスキャナ１７は、ステップＳ１０４で読み取ったバーコードのデータを商品コードに復号化する。そして、ＣＰＵ１０は、ステップＳ１０４で検知データを記憶させた行と同一の行の商品コードの欄に、バーコードスキャナ１７が複号化した商品コードを記憶させる。
【００５０】
そして、ＣＰＵ１０は、ステップＳ１０６で登録データに記憶させた商品コードに関連付けられた商品の価格を、ハードディスク部１１が記憶する商品ファイルから取得し、登録データの取引合計金額に累積加算し、表示部１３に取引合計金額を表示させる。その後、ステップＳ１０７に進む。
【００５１】
図１１は表示部１３が表示する画面を示した図である。図示する例では、登録データが記憶する商品コードに対応する商品名と価格とが画面左に表示されている（符号１００１）。また、登録データが記憶する個数の合計が買上点数として画面右上に表示されている（符号１００２）。また、登録データが記憶する商品コードに対応する商品の価格の合計が、小計および合計として画面右に表示されている（符号１００３）。また、電子マネーの残高が画面右下に表示されている（符号１００４）。また、「お会計」キー１００５が画面左下に表示されている。
【００５２】
（ステップＳ１０７）ＣＰＵ１０は、読み取り操作が検知されたか否か判断する。つまり、次の商品の登録操作が行われたか否か判断する。次の商品の登録操作が行われたと判断した場合（ＹＥＳの場合）はステップＳ１０５に戻り、それ以外（ＮＯの場合）はステップＳ１０８に進む。なお、次に読み取り操作が検知されると、ＲＡＭ１２が記憶する登録データの次の行の検知データに「１」が記憶され、ステップＳ１０５でバーコードが読み取られた場合には、その行に対応する商品コードの欄に読み取られた商品コードが記憶される。
【００５３】
（ステップＳ１０８）顧客は、買上商品登録処理を終了する場合、表示部１３が表示する「お会計」キーを押下する。ＣＰＵ１０は、表示部１３が表示する「お会計」キーが押下されたか否か判断する。「お会計」キーが押下されたと判断した場合（ＹＥＳの場合）はステップＳ１０９に進み、それ以外（ＮＯの場合）はステップＳ１０７に戻る。
【００５４】
（ステップＳ１０９）ＣＰＵ１０は、ステップＳ１０３で読み取った電子マネーの残高から登録データが記憶する取引合計金額を減算し、精算処理後の電子マネーの残高を算出する。また、ＣＰＵ１０は、算出した電子マネーの残高をステップＳ１０１で載置された電子マネーに電子マネーリーダライタ１８を介して書き込み、精算を終了する。その後、ステップＳ１１０に進む。
【００５５】
図１２は、ステップＳ１０９において、表示部１３が表示する画面を示した図である。図示する例では、登録データが記憶する個数の合計が買上点数として画面左上に表示され（符号１１０１）、登録データが記憶する商品コードに対応する商品の価格の合計が、小計および合計として画面左に表示されている（符号１１０２）。また、精算処理前の電子マネーの残高が画面左上に表示され（符号１１０３）、登録データが記憶する商品コードに対応する商品の価格の合計が、取引金額として画面右に表示され（符号１１０４）、更に、精算処理後の電子マネーの残高が画面左下に表示されている（符号１１０５）。
【００５６】
（ステップＳ１１０）ＣＰＵ１０は、ＲＡＭ１２が記憶する登録データを、ハードディスク部１１が記憶する買上実績ファイルに移行する。続いて、ＣＰＵ１０は、ＲＡＭ１２が記憶する登録データ中の、取引Ｎｏ以外のデータを消去する。その後、ステップＳ１１１に進む。
【００５７】
（ステップＳ１１１）ＣＰＵ１０は、カメラ接続部２０を介してカメラ２に撮像停止信号を送信し、これによりカメラ２は撮像を停止し、管理装置３での画像の記録（録画）が停止される。このとき、登録データが記憶する取引Ｎｏを管理装置３に送信し、ステップＳ１０２で撮像開始信号を送信した日時データと、ステップＳ１１１で撮像停止信号を送信した日時データとを関連付けて記憶させるよう、コマンドを管理装置３に送信する。その後、処理を終了する。
【００５８】
なお、一日の営業の終了時に所定の操作を行うことで、セルフレジスタ装置１のハードディスク部１１に記憶している買上実績ファイルを管理装置３へ送信する。
【００５９】
次に、不正の蓋然性高い操作を撮像した画像データを管理装置３にて抽出する処理手順について図１３を参照して説明する。図１３は本実施形態における不正の蓋然性高い操作を撮像した画像データの抽出処理の手順を示したフローチャートである。
【００６０】
（ステップＳ２０１）不正の蓋然性が高い操作を含んだ撮像データの抽出を開始する場合、管理装置３の動作モードを抽出モードに変更する。なお、抽出作業は一日の営業の終了後に行うようにしてもよい。その後、ステップＳ２０２に進む。抽出モードへの変更方法は、例えば、管理装置３の表示部が表示する「抽出モード」キーを押下する。
【００６１】
（ステップＳ２０２）管理装置３のＣＰＵは、管理装置３の記憶部が記憶する買上実績ファイルを検索し、検知データが記憶されているが、商品コードが記憶されていない行が存在する取引があるか否か判断する。検知データが記憶されており、商品コードが記憶されていない行が存在すると判断した場合はステップＳ２０３に進み、それ以外は処理を終了する。
【００６２】
（ステップＳ２０３）管理装置３のＣＰＵは、ステップＳ２０２で検知データが記憶されており、商品コードが記憶されていないと判断した行に関連付けられている取引Ｎｏを買上実績ファイルより取得する。その後、ステップＳ２０４に進む。
【００６３】
（ステップＳ２０４）管理装置３のＣＰＵは、買上実績ファイルから、ステップＳ２０３で取得した取引Ｎｏに関連付けて記憶されている商品コードと、検知データと、個数と、取引合計金額と、預かり金額と、釣銭額とを取得する。その後、ステップＳ２０５に進む。
【００６４】
（ステップＳ２０５）管理装置３のＣＰＵは、管理装置３の記憶部が記憶する画像ファイルから、ステップＳ２０３で取得した取引Ｎｏに関連付けて記憶されている画像データと、開始日時と、終了日時とを取得する。その後、ステップＳ２０６に進む。
【００６５】
（ステップＳ２０６）管理装置３のＣＰＵは、ステップＳ２０２で取得した取引Ｎｏと、ステップＳ２０４で取得した商品コードに対応する商品ファイル中の品名と、検知データと、個数と、取引合計金額と、預かり金額と、釣銭額と、開始日時と、終了日時とを管理装置３の表示部の右側に表示させ、ステップＳ２０５で取得した画像データを管理装置３の表示部の左側に表示させる。なお、表示部に再生キーを設け、このキーを押すことで画像データを再生するようにしてもよい。
【００６６】
図１４は、ステップＳ２０６において、表示部１３が表示する画面を示した図である。図示する例では、開始日時と終了日時とが画面上部に表示されている（符号１３０１）。また、取引Ｎｏが画面右上に表示されている（符号１３０２）。また、画像データに基づいた画像が画面左に表示されている（符号１３０３）。また、商品コードに関連付けられている商品名が画面中央に表示されている（符号１３０４）。また、検知データに基づいたステータスが商品名の右側に表示されている（符号１３０５）。図示する例では、商品コードと検知データとが記憶されている行の検知データについては、ステータス「ＯＫ」と表示される。また、商品コードが記憶されておらず検知データが記憶されている行の検知データについては、ステータス「ＮＧ」と表示される。つまり、この取引で、商品「ＥＥＥ」の後の登録操作に不正の疑いがあるので、その部分の画像を注視することで不正があったか否かを確認することができる。
【００６７】
また、商品登録された個数がステータスの右側に表示され（符号１３０６）、預かり金額（符号１３０７）と、取引合計金額（符号１３０８）と、釣銭額（符号１３０９）とが表示されているので、その取引での精算金額についても確認することができる。
【００６８】
上述したとおり、本実施形態によれば、ステップＳ１０１〜ステップＳ１１１の処理により、バーコードの読み取り操作を行っているように思われる操作を検知し、その操作によって実際にバーコードが読み取られた場合、さらにバーコードの情報をあわせて記憶することができる。また、買上商品処理の開始から終了までの操作を撮像した画像データと、この買上商品処理を識別する取引Ｎｏとを関連付けて記憶することができる。
【００６９】
さらに、ステップＳ２０１〜２０６の処理により、バーコードの読み取り操作を行っているように思われる操作を行ったにも関わらず、実際にバーコードが読み取られていない操作を撮像した画像データを抽出し、表示部１３に表示することができる。これにより、不正の蓋然性が高い操作を撮像した画像データを効率的に確認することができる
【００７０】
（第２の実施形態）
次に、図面を参照しながら本発明の第２の実施形態について説明する。図１５は、本実施形態におけるセルフレジスタ装置の外観を示した図である。図１６は、本実施形態におけるセルフレジスタ装置６の電気ブロック図を示した図である。
【００７１】
ＰＯＳシステムは、チェッカー部６４１（商品登録部）とキャッシャー部６４２（精算部）とを有するセルフレジスタ装置６と、カメラ２（撮像部）と、管理装置３とを備える。カメラ２と管理装置３は第１の実施形態と同様である。また、セルフレジスタ装置６と、カメラ２と、管理装置３とはＬＡＮ等により接続されており、互いに通信が可能である。つまり、商品の登録と精算とを同じ位置で行う第１の実施形態におけるセルフレジスタ装置１と、商品の登録と精算とを異なる位置で行う第２の実施形態におけるセルフレジスタ装置６が異なる。
【００７２】
チェッカー部６４１は、ＣＰＵ６０（判断部、読み出し部）と、ハードディスク部６１（記憶部）と、ＲＡＭ６２と、バーコードスキャナ６７と、カメラ接続部７０と、時計部７２と、秤部６５１（検知部）と、第１の液晶タッチパネル６５２（表示部）と、数字キー、品番キー、値引キー、返品キーなどのチェッカー操作部６５３と、バーコードスキャナ６７で登録した商品を入れる買い物袋を引っ掛ける買い物袋掛け６５４とを有している。買い物袋掛け６５４は、秤部６５１の上部に着脱可能に設置される。つまり、秤部６５１はバーコードスキャナ６７でバーコードが読み取られた商品が置かれる場所に配置されている。
【００７３】
図１５では、第１の液晶タッチパネル６５２と、バーコードスキャナ６７との左側（下流側）に秤部６５１は配置されている。なお、ＣＰＵ６０は、チェッカー部６４１とキャッシャー部６４２の両方で共有され、システムバス６００を介してチェッカー部６４１とキャッシャー部６４２両方の各部を制御する。
【００７４】
キャッシャー部６４２は、レシート印字部６６と、通信部６９と、ドロワー６５５と、自動釣銭機６５６と、呼出ランプ６５７と、第２の液晶タッチパネル６５８（表示部）と、数字キー、品番キー、値引キー、返品キーなどのキャッシャー操作部６５９とを有する。
【００７５】
なお、バーコードスキャナ６７と、秤部６５１と、第１の液晶タッチパネル６５２と、チェッカー操作部６５３と、買い物袋掛け６５４と、レシート印字部６６と、ドロワー６５５と、自動釣銭機６５６と、呼出ランプ６５７と、第２の液晶タッチパネル６５８（表示部）と、キャッシャー操作部６５９とは、セルフレジスタ装置６の外観に現れている。
【００７６】
チェッカー部６４１は商品登録を行う。キャッシャー部６４２は、チェッカー部６４１で登録される商品の合計金額を表示し、代金の精算を行う。カメラ２はバーコードスキャナ６７近傍と買い物袋掛け６５４近傍を撮像する。ＣＰＵ６０は、各種演算を実行し、演算結果に基づいてセルフレジスタ装置６の各部を制御する。ハードディスク部６１は、読み書き可能な大容量の記憶装置である。ハードディスク部６１は、セルフレジスタ装置６の各機能を実現するためのプログラムや、商品ファイルや、買い上げ実績ファイルを記憶する。
【００７７】
ＲＡＭ６２は読み書き可能な記憶装置である。また、ＲＡＭ６２は、ハードディスク部６１からＣＰＵ６０によって読み出されたデータや、第１の実施形態と同様に取引中のデータである登録データや、ＣＰＵ６０が処理を行う上で利用する各種データを記憶する。
【００７８】
バーコードスキャナ６７は、商品に付されているバーコードを読み取る。バーコードスキャナ６７は、バーコードを読み取ると、読み取ったデータを復号化し、ＣＰＵ６０へ送信する。通信部６９は、管理装置３と通信を行う。カメラ接続部７０はカメラ２と通信を行い、第１の実施形態と同様に、撮像開始信号により撮像を開始させ、撮像終了信号により撮像を終了させる制御を行う。
【００７９】
第１の液晶タッチパネル６５２と、第２の液晶タッチパネル６５８とは、液晶ディスプレイ等の画像表示装置を用いて構成される。また、第１の液晶タッチパネル６５２と、第２の液晶タッチパネル６５８とは、タッチパネルとして構成される。
【００８０】
レシート印字部６６は、買上商品の明細を印字する印字機能を有する。レシート印字部６６は、ＣＰＵ６０の指示に従い、所定のレシート用紙上に購入商品の明細を印字する。レシート印字部６６は、インクを使用して印字を行っても良いし、感熱紙を利用するなどインクを使用しない方法によって印字を行っても良い。
【００８１】
ドロワー６５５は予備の紙幣、硬貨その他商品券や売掛伝票を収納する金庫である。自動釣銭機６５６は、硬貨投入口と、硬貨払出口と、紙幣投入口と、紙幣払出口とを有し、精算処理時に紙幣・硬貨の入出を行う。呼出ランプ６５７は、顧客が店員を呼び出したときに点灯するランプである。
【００８２】
秤部６５１は、重量センサを備えており、秤部６５１の上部に設置されている買い物袋掛け６５４に掛けられた買い物袋内に商品等が入れられたことを検知する。これにより、登録済み商品が位置する場所に商品を移動する操作を、秤部１５１は検知することができる。
【００８３】
上記構成の第２の実施形態と、第１の実施形態とで異なる点は、第１の実施形態では、検知部としてバーコードのスキャナ操作をすると同時に検知を行う検知センサ２１をバーコードスキャナ１７の近傍に設けたが、第２の実施形態では、読み取り操作を行うバーコードスキャナ６７の下流側にある、商品登録後に商品が投入される買い物袋が掛けられる買い物袋掛け６５４の下に設けた秤部６５１を検知センサとした。
【００８４】
つまり、秤部６５１から出力される重量値が増加した場合には、正常な登録操作であれば登録された商品が買い物袋に投入されるので、第１の実施形態と同様に、商品の読み取り操作も行われていると推定することができ、バーコードスキャナ６７により読み取られた商品コードと、この商品における検知データとが対の関係となる点については第１の実施形態と同じである。
【００８５】
すなわち、第１の実施形態では、セルフレジスタ装置１のＲＡＭ１２内の登録データ中の所定行の検知データの欄に「１」が設定されるのと、この行の商品コードの欄に読み取られた商品コードが記憶されるのとはほぼ同時であるが、第２の実施形態では、初めに図１４に示す縦型のバーコードスキャナ６７で商品のバーコードが読み取られ、登録データ中の所定行の商品コードの欄に商品コードが記憶され、その後、商品登録後に商品が投入される買い物袋に商品が入れられると、検知データが出力され、対応する行の検知データの欄に「１」が記憶される。つまり、検知データが記憶されるタイミングが異なるだけであり、バーコードスキャナ６７で読み取られた商品コードと、この商品における検知データとが対の関係になる点については第１の実施形態と同じである。
【００８６】
また、ＲＡＭ６２に記憶される登録データ中の商品コードに対応して、秤部６５１で重量値の増加があり、検知された場合は検知データを「１」に設定する点と、また、一取引後に買い上げ実績ファイルへ移行する点等も第１の実施形態と同じである。そして、抽出モードで抽出する場合、検知データが「１」であるにも関わらず、それに対応した商品コードが記憶されていない操作がある取引を抽出する点についても第１の実施形態と同じである。
【００８７】
また、秤部６５１で重量値の増加が検出されてから、次の商品の商品コードが読み込まれた場合は、別の商品が登録されたと判断し、ＲＡＭ６２の登録データでは次の行に読み出された商品に対する商品コードを記憶するようにする。
【００８８】
また、カメラ２へ撮像開始信号や撮像停止信号を送信するタイミングも、第１の液晶タッチパネル６５２に表示される「登録開始」キー（第１の実施形態における「買い物スタート」キー）を押すことで撮像開始信号を送信し、「登録終了」キー（第１の実施形態における「お会計」キー）を押すことで撮像終了信号を送信する点についても第１の実施形態と同じである。
【００８９】
また、カメラ２で撮像された画像データが、管理装置３の記憶部で記憶（録画）される点についても第１の実施形態と同じである。
【００９０】
なお、第２の実施形態では、重量センサを備えた秤部１５１を用いて、買上商品を登録する操作を検知したが、光電センサを用いて買上商品を登録する操作を検知してもよい。具体的な例として図１７を参照して説明する。図１７は光電センサを備えた買い物袋掛け１５４を示した図である。
【００９１】
図示する例では、買い物袋掛け６５４の上部で買い物袋に入れられた商品を検知するように、光電センサ１９０１〜１９０３が配置されている。この光電センサ１９０１〜１９０３は第１の実施形態の検知センサ２１と同様の光電センサである。光電センサ１９０１〜１９０３は、買い物袋掛け６５４に掛けられた買い物袋１９０４内に商品等が入れられたことを検知する。これにより、商品を移動する操作を光電センサ１９０１〜１９０３は検知することができる。
【００９２】
また、第２の実施形態では、秤部６５１をバーコードスキャナ６７の下流（図１５では、バーコードスキャナ６７との左側）に配置したが、秤部６５１をバーコードスキャナ６７の上流（図１５では、バーコードスキャナ６７の右側）に配置してもよい。この配置では、秤部６５１は、買上商品の登録を行う前に置かれる買い物かごから商品を出したことを検知する。これにより、商品を商品登録の為に移動する操作、すなわち買上商品を登録する操作を秤部６５１は検知することができる。
【００９３】
以上、図面を参照して本発明の実施形態について詳しく説明してきたが、具体的な構成は上述のものに限られることはなく、この発明の要旨を逸脱しない範囲内において様々な設計変更等をすることが可能である。
【００９４】
例えば、第１の実施形態および第２の実施形態において、ＲＡＭ１２，６２が記憶する登録データを、管理装置３のハードディスクが記憶する買上実績ファイルに移動する際に、ＣＰＵ１０，６０は、登録データ内に検知データが記憶されており商品コードが記憶されていない行が存在すると判断した場合、異常を示すランプを点灯し、異常がある旨を店員が保持する端末へ知らしめるようにしてもよい。
【００９５】
また、管理装置３の表示部に画像データと登録データとを表示するようにしているが、抽出された取引Ｎｏの画像データのみを表示するようにしてもよい。また、セルフレジスタ装置１の表示部１３（第２の実施形態ではセルフレジスタ装置６の第１の液晶タッチパネル６５２または第２の液晶タッチパネル６５８）に抽出した画像データと登録データとを表示するようにしてもよく、あるいは、画像データのみを表示するようにしてもよい。
【００９６】
また、上記実施形態では、検知情報と、読み取られた商品の商品コードそのものが対になって記憶されている例で示したが、商品コードそのものではなく、商品コードが正しく読み取られたことを示す情報と検知情報とを対にして記憶するようにしてもよい。
【００９７】
また、上記第１の実施形態および第２の実施形態いずれの場合でも、検知部により検知された商品の読み取りが行われる場合、あるいは商品の読み取りが行われない場合いずれの場合でも、商品の登録処理操作の画像データを記憶し、その記憶された画像データのうち、商品の読み取りが行われない場合の画像データを抽出するようにしたが、検知部により検知された商品の読み取りが行われない場合のみの画像、あるいはその前後も含めた画像データのみを記憶部に記憶するようにしても、予め抽出されたものとして本発明に含むものとする。
【００９８】
つまり、記憶する画像データは、商品の読み取りが行われない場合だけであってもよいし、該商品の読み取りが行われない場合に加えて、商品の読み取り操作が行われる際も画像データとして記憶するようにしてもよい。
【００９９】
そして、検知部により検知されたが、商品の読み取りが行われない場合のみの画像データを記憶させる場合、例えば一取引の登録処理操作の画像をカメラの一時記憶エリアに連続的に一時記憶させ、一取引の終了時に、例えば商品コードと検知情報とが対応付けられていないと判断した場合、その商品が登録された時間を読み出し、該時間における前記カメラの一時記憶エリアに記憶された画像データのみ、あるいは、その時間の所定時間前後の時間を含めた画像データを、管理装置の記憶部に記憶させるようにしてもよい。そして、カメラに一時記憶された画像データは、次の登録が開始されたときに、クリアするようにする、あるいは上書きして記憶するようにしてもよい。
【０１００】
このように、少なくとも検知部により検知されたが、商品の読み取りが行われない画像データを記憶させることで、不正の蓋然性のある画像を効率的に抽出可能になる。
また、画像データの記憶は取引毎に限らず、例えば１分毎等の所定時間毎であってもよい。
また、本実施形態では顧客自身が商品登録を行うＰＯＳシステムを例に説明したが、店員が商品登録を行うＰＯＳシステムであってもよい。
【図面の簡単な説明】
【０１０１】
【図１】本発明の第１の実施形態におけるＰＯＳシステムの構成を示した図である。
【図２】本発明の第１の実施形態におけるセルフレジスタ装置とカメラの外観を示した図である。
【図３】本発明の第１の実施形態におけるセルフレジスタ装置の電気ブロック図を示した図である。
【図４】本発明の第１の実施形態における商品ファイルのデータ構造を示した概略図である。
【図５】本発明の第１の実施形態における登録データのデータ構造を示した概略図である。
【図６】本発明の第１の実施形態における買上実績ファイルのデータ構造を示した概略図である。
【図７】本発明の第１の実施形態における画像ファイルのデータ構造を示した概略図である。
【図８】本発明の第１の実施形態における買上商品登録処理の手順を示したフローチャートである。
【図９】本発明の第１の実施形態における表示部が表示する画面を示した図である。
【図１０】本発明の第１の実施形態における表示部が表示する画面を示した図である。
【図１１】本発明の第１の実施形態における表示部が表示する画面を示した図である。
【図１２】本発明の第１の実施形態における表示部が表示する画面を示した図である。
【図１３】本発明の第１の実施形態における不正の蓋然性高い操作を撮像した画像データの抽出処理の手順を示したフローチャートである。
【図１４】本発明の第１の実施形態における表示部が表示する画面を示した図である。
【図１５】本発明の第２の実施形態におけるＰＯＳシステムの外観を示した図である。
【図１６】本発明の第２の実施形態におけるセルフレジスタ装置の電気ブロック図を示した図である。
【図１７】本発明の一実施形態における光電センサを備えた買い物袋掛けを示した図である。
【符号の説明】
【０１０２】
１・・・セルフレジスタ装置、２・・・カメラ、３・・・管理装置、１０，６０・・・ＣＰＵ、１１，６１・・・ハードディスク部、１２，６２・・・ＲＡＭ、１３・・・表示部、１５・・・スピーカ部、１６，６６・・・レシート印字部、１７，６７・・・バーコードスキャナ、１８・・・電子マネーリーダライタ、１９，６９・・・通信部、２０，７０・・・カメラ接続部、２１・・・検知センサ、２２，７２・・・時計部、６４１・・・チェッカー部、６４２・・・キャッシャー部、６５１・・・秤部、６５２・・・第１の液晶タッチパネル、６５３・・・チェッカー操作部、６５４・・・買い物袋掛け、６５５・・・ドロワー、６５６・・・自動釣銭機、６５７・・・呼出ランプ、６５８・・・第２の液晶タッチパネル、６５９・・・キャッシャー操作部、５００，６００・・・システムバス、１９０１〜１９０３・・・光電センサ、１９０４・・・買い物袋
【図１】
2010039545.tif 000003
【図２】
2010039545.tif 000004
【図３】
2010039545.tif 000005
【図４】
2010039545.tif 000006
【図５】
2010039545.tif 000007
【図６】
2010039545.tif 000008
【図７】
2010039545.tif 000009
【図８】
2010039545.tif 000010
【図９】
2010039545.tif 000011
【図１０】
2010039545.tif 000012
【図１１】
2010039545.tif 000013
【図１２】
2010039545.tif 000014
【図１３】
2010039545.tif 000015
【図１４】
2010039545.tif 000016
【図１５】
2010039545.tif 000017
【図１６】
2010039545.tif 000018
【図１７】
2010039545.tif 000019